(57)【要約】【課題】本発明は、猛獣を収容できる猛獣用檻に給餌を行う際に給餌員が猛獣用檻に対し安全に餌を与えることができる檻に関する改良発明であり、より安全に檻内の猛獣に給餌することができる猛獣用の檻を提供することを目的とするものである。【解決手段】本発明は、上記の課題を解決するために、組み立て式の檻本体と、檻本体の上部に取り付けた屋根とからなり、檻本体を形成する底枠の上部に着脱可能で、檻本体の内部から外部にかけて回動できる略半円状の格子からなる回動式の餌台とからなることを特徴とする餌台付き猛獣用檻の構成とした。【選択図】図１
2004008096.tif 000002
【特許請求の範囲】
【請求項１】
組み立て式の檻本体と檻本体の上部に取り付けた屋根とからなり、檻本体を形成する底枠の上部に着脱可能で、檻本体の内部から外部に回動する略半円状の格子からなる回動式の餌台を設けたことを特徴とする餌台付き猛獣用檻。
【発明の詳細な説明】
【０００１】
【発明が属する技術分野】
本発明は、猛獣を収容できる猛獣用檻と猛獣用檻に付設した餌台に関する改良発明である。
【０００２】
【従来の技術】
従来の猛獣用檻は、動物園内部で地面に固定し設置された枠体からなり、枠体の外周を覆うように金網が貼られている。また柵には、猛獣用檻用の枠体と檻の外側に出入りするための開閉式の扉を備えた檻であった。
【０００３】
【発明が解決しようとする課題】
しかし、従来の猛獣用檻は柵が固定式のため猛獣用檻全体を移動することができなかった。また猛獣用檻の檻内部にいるトラやライオンなどの猛獣に給餌をする際、動物園等の給餌員が猛獣用檻の中に直接入り餌等を与えなければならないため、従来の猛獣用檻では給餌員が襲われ、けがを負う等の危険があった。
【０００４】
そこで本発明は、猛獣の給餌をする際に給餌員が猛獣用檻の内部に直接入る必要性がなく、猛獣に対して給餌する際猛獣用檻の外側から飼育員が安全に給餌ができ、飼育員が猛獣に襲われることもない餌台付き猛獣用檻を提供することを目的としている。
【０００５】
【課題を解決するための手段】
そこで、上記の課題を解決するために、組み立て式の檻本体と檻本体の上部に取り付けた屋根とからなり、檻本体を形成する底枠の上部に着脱可能で、檻本体の内部から外部に回動する略半円状の格子からなる回動式の餌台を設けたことを特徴とする餌台付き猛獣用檻の構成とした。
【０００６】
【発明の実施の形態】
次に、添付図面に基づき、本発明である餌台付き猛獣用檻について詳細に説明する。
【０００７】
【実施例】
図１〜図４は本発明である回動式の餌台が付設した猛獣用檻の外観を示した斜視図、図５〜図９は本発明である回動式の餌台の猛獣用檻の給餌口と回動する前後の餌台を示した斜視図、図１０〜図１４は回動式の餌台付き猛獣用檻の檻を構成する部品図、図１５は本発明である餌台付き猛獣用檻の檻本体に屋根カバーを付けた第２実施例の斜視図を示している。
【０００８】
図１は、本発明である餌台付き猛獣用檻全体を示した斜視図である。本発明である餌台付き猛獣用檻１は、組み立て式であり、檻本体３の上部に設けた屋根２と、檻本体３からなる。餌台は檻本体３に設けられている。
【０００９】
檻とは、檻本体３の外周を直方体状で、内部の水平方向に横枠を設け、垂直方向に対し格子を設けた各柵３ａ、３ｂ、３ｃ、３ｄ、３ｅで囲まれたことを特徴とし枠と格子の組合せにより容易に組み立てをすることができる猛獣用檻１である。
【００１０】
図１の右部に示したように、前左柵３ｂには、猛獣が出入りするための長方形状の開閉扉３ｇが設けられている。各柵３ａ〜３ｅ、開閉扉３ｇ共に、垂直に設置した縦枠５ａ、５ｂ、５ｃ、５ｄ、５ｅ、５ｆで連結されている。
【００１１】
檻本体３の上部では、屋根２が容易に組み立てられるように設けらている。屋根２は、ハンガー形状で略５角形の屋根枠２ａ、２ａ、２ａ・・・が、等間隔に並んで構成されている。
【００１２】
檻本体３の下部は、床を形成するために床部４を形成する。床部４は、外周を長方形状に囲む底枠４ａ、４ｂ、４ｃ、４ｄと、底枠４ａ〜４ｄを互いに連結するよう横架した複数の連結材４ｆ、４ｇ、４ｈ、４ｉ、４ｊ、４ｋとからなる。底枠４ａ〜４ｄには地面に設置するための脚が複数設けられている。
【００１３】
回動式の餌台とは、前右柵３ｃの下部に設け、給餌部６を構成する第１給餌口６ａと第２給餌口６ｂと、第１給餌口６ａ及び第２給餌口６ｂの内部に設けた扉及び餌容器を載せるための餌台７とからなる。即ち、本発明では餌台７が前記回動式となる部分を構成し、また、給餌部６は、底枠４ａ〜４ｄの表面の設けた複数の孔に着脱できるように取り付けられている。
【００１４】
図２は、本発明である餌台付き猛獣用檻１の正面図である。図２に示したように餌台付き猛獣用檻１は、檻本体３の左方向に略長方形状の開閉扉３ｇを縦枠５ｅと縦枠５ｆの間に設け、開閉扉３ｇの右下部に給餌部６を設けたことを本発明の特徴としたものである。先ず、開閉扉３ｇの左右の位置に設けた前左柵３ｂ、前右柵３ｃと、開閉扉３ｇと、給餌部６の順番に詳細を説明する。
【００１５】
図２に示したように、檻本体３を構成する開閉扉３ｇは、扉枠５ｇ内に、外枠３ｆと外枠３ｆ内に固定されている横枠と縦方向に固定されている複数の縦柵からなる。開閉扉３ｇは、前左柵３ｂと前右柵３ｃ間に挟み込むように設けられている。開閉扉３ｇは、前右柵３ｃに蝶番３ｈ、蝶番３ｉによって取り付けられている。開閉扉３ｇの下端と扉枠５ｇ間には、開閉扉３ｇの回動が容易となるように間隙５ｈが設けてある。
【００１６】
開閉扉３ｇの左上部は、形状が矢印状である係止具８が設けられている。係止具８は通常開閉扉３ｇが自ら開閉しないように設けたものであり、また檻の内部清掃時に猛獣を移動する際の出入口として設けた。係止具８は開閉扉３ｇの縦枠５ｅに取り付けられている。次に、開閉扉３ｇの右下の位置に設けた給餌部６について説明する。
【００１７】
図２に示したように、給餌部６は、前右柵３ｃの左下に示した第１給餌口６ａと、前右柵３ｃ右下に示した第２給餌口６ｂとからなり、形状がロ字状の枠体である。
【００１８】
第１給餌口６ａ及び第２給餌口６ｂには、外周を形成する外枠６ｃ、６ｄが設けられている。前記外枠６ｃ、６ｄの内部には、猛獣に餌を与える際に回動可能な扉状の餌台７が設けられている。餌台は、それぞれ左側に位置した給餌扉７ａ、と右側に位置した給餌扉７ｂからなり、給餌扉７ａの奥で餌容器１１等を取りだし・収納することができる。
【００１９】
第１給餌口６ａは、前右柵３ｃの底部にある底枠４ａの上に設けた孔に対し、複数の格子からなる取付柵６ｉを差し込んで設けられている。したがって、第１給餌口６ａ及び第２給餌口６ｂは、前左柵３ｂや前右柵３ｃの内部を垂直に設けた格子、特に長さが短くなった格子を使用し、第１給餌口６ａの長手方向の長さでに合わせて前記短い格子に差し替え、取付位置を自由に変更することができる。
【００２０】
図３は、本発明である餌台付き猛獣用檻の左側面図である。図３に示した屋根２の屋根枠２ａの説明をする。屋根枠２ａは、猛獣用檻１の檻本体３の上部に複数設けた部材であり、全体の枠となる屋根枠２ａと、屋根枠２ａの内部に設けた略く字状態の補強材２ｄと、屋根枠２ａの下部に設け檻本体３から突出した軒下２ｂとからなる。
【００２１】
図４は、本発明である餌台付き猛獣用檻の縦枠、横枠の骨組みを示した斜視図である。図４に示したように、本発明である餌台付き猛獣用檻１の檻本体３の底部４の組み立てから、各柵３ａ〜３ｅを取り付ける前までの組み立てを示したものである。
【００２２】
即ち、本発明である猛獣用檻１の組み立て時は、檻の四隅に縦枠部材５を設置する。縦枠部材５は、縦枠５ａ、５ｂ、５ｃ、５ｄ、５ｅ、５ｆからなる。縦枠５ａ〜５ｄを地面に設置した後、底枠４ａ〜４ｃを長方形状に組み立て、本発明の課題でもある給餌部６の取付柵６ｉ、６ｊを、底枠４ｂ上に起立するように差し込みむ。
【００２３】
縦枠５ａ〜５ｆの設置完了の後には、各柵３ａ〜３ｅを組み立てるために、縦枠５ａ〜５ｄ同士を連結するように横枠を設け、横枠内部に格子を貫通するように設け、猛獣用檻１全体の組み立て作業が終了となる。
【００２４】
なお、連結材４ｆ〜４ｋの上部には、猛獣を収容するための金網等を載せることができ、猛獣自らが排出した糞尿を猛獣用檻１の外部から飼育員等が容易に清掃することもできる。
【００２５】
図５は、本発明である餌台付き猛獣用檻１の底枠に取り付けた第１給餌口であり、檻本体の内部で餌台が回動する前の餌台を示した斜視図である。図５に示したように第１給餌口６ａは、形状がロ字状の外枠６ｃと、外枠６ｃの内部に開閉可能な餌台７の給餌扉７ａで構成されている。
【００２６】
餌台７の給餌扉７ａは、枠全体の正面がロ字状である左枠７ｃと、同じく正面がロ字状の右枠７ｅとからなり互いに一体化したものである。前記左枠７ｃと前記右枠７ｅの背面にかけて、湾曲した上押さえ枠７ｊと下押さえ枠７ｋで連結され、餌台７の底部は、複数の格子からなる底枠７ｌが、前記左枠７ｃ及び右枠７ｅの下部から、下押さえ枠７ｋまで格子状に設けられたものである。
【００２７】
第１給餌口６ａの外枠６ｃと連結するための外筒７ｈが、左枠７ｃの右端部で長方形状の蝶番７ｆにより取付られている。したがって、給餌扉７ａは、給餌扉７ａの右端部に設けた中空の外筒７ｈを、前記軸６ｅに差し込んで取り付たものである。
【００２８】
また、給餌扉７ａと第１給餌口６ａとの係止方法は、給餌扉７ａの左上に設けた止め具７ｍは、中心に貫通孔を有した円状のピン６ｇ、７ｑ、７ｓと、円状のピン６ｇ、７ｑ、７ｓの中をスライドできるＴ字状態の閂７ｏとからなり係止されている。なお閂７ｏは、突起７ｕで係止されている。
【００２９】
図６は、本発明である餌台付き猛獣用檻の底枠に取り付けた第１給餌口６ａで、給餌部６の内に設けた餌台７が檻本体３の内部から外部にかけて回動している途中の状態を示した斜視図である。餌台７は、Ｔ字状の閂７ｏを右方向にスライドさせて外し、給餌扉７ａの外筒７ｈに差し込まれた軸６ｅを中心に左周りに９０度回動させた状態である。
【００３０】
図７は、本発明である餌台付き猛獣用檻の底枠に取り付けた第１給餌口６ａの本体の外部で、餌台の回動が完了した状態を示した斜視図である。餌台７は、檻本体３の内部から、軸６ｅを中心に左回りに１８０度回動させた状態である。
【００３１】
したがって、本発明である回動式の餌台付猛獣用檻用１の餌台７を使用することで、檻の内部に給餌員が直接入らなくてもよいため、安全に給餌することができる。また、第１給餌口６ａに取り付けた止め具７ｍのピン７ｑ、７ｓは、前右柵３ｃと接触する際の緩衝材となる。
【００３２】
図８は、本発明である餌台付き猛獣用檻の第２給餌口で、給餌扉を取り付けた状態を示す斜視図である。第２給餌口６ｂの特徴は、図７に示した第１給餌口６ａの餌台７と比較した場合、給餌扉７ｂが設けられたものである。即ち、餌容器等を載せる台を構成する湾曲状の上押さえ枠７ｊ、下押さえ枠７ｋ、底枠７ｌが取り付けられていない。
【００３３】
給餌扉７ｂは、扉全体を形成する口字状の枠７ｄと、枠７ｄの右端部に取り付けた長方形状の蝶番７ｇと、蝶番の右端に取り付けた外筒７ｉからなる。また、給餌扉７ｂの正面である枠７ｄ内は、鉄製の縦格子が貫通し、取り付けられている。なお、枠７ｄは単体である。
【００３４】
また、外枠６ｄの内部に設けた給餌扉７ｂは着脱可能に取り付けられている。給餌扉７ｂは、大きな肉の塊など、直接檻本体３に餌を投入する際開閉し、餌をそのままの形で投入することができる。
【００３５】
更に、外枠６ｄの左端部から、給餌扉７ｂの左上部にかけて、給餌扉７ｂの開閉を制限する止め具７ｎが取り付けられている。止め具７ｎは、中心に貫通孔を有した複数のピン６ｈ、７ｒ、７ｔと、ピン６ｈの中をスライドできるＴ字状態の閂７ｐとからなる。閂７ｐは突起７ｖで係止し、かつ南京錠で施錠することができるため、閂７ｏの縦軸が左右方向にスライドして外れることはない。
【００３６】
図９は、本発明である餌台付き猛獣用檻の内部で、第２給餌口で給餌扉を取り付け、給餌扉が開口した状態を示した斜視図である。給餌扉７ｂは、蝶番７ｇにより軸６ｆの外筒７ｉに回動可能に取り付けられている。
【００３７】
図１０〜図１４では、回動式の餌台付き猛獣用檻の檻を構成する部品図、図１５は、本発明である餌台付き猛獣用檻の檻本体に屋根カバーを付けた第２実施例の斜視図である。
【００３８】
図１０は、本発明である餌台付き猛獣用檻の猛獣用檻を構成する縦枠の内側を示した正面図である。縦枠５ａは軸である垂直棒５ｉと、垂直棒５ｉの上方から下方にかけて一定の間隔で水平取付棒５ｊ、５ｊ、５ｊ・・・が設けらている。垂直棒５ｉ、５ｉ、５ｉ・・・・の下部には、脚台１０を螺合して取り付けることができる。
【００３９】
図１１は、本発明である餌台付き猛獣用檻の猛獣用檻を構成する縦枠の外側を示した施工例である。図１１に示したように本発明である猛獣用檻１で使用する縦枠５ａの上部であり、左柵３ａ、前左柵３ｂとの連結した状態を示したものである。図１２は、本発明である餌台付き猛獣用檻の開閉扉３ｇの上部に取り付けた係止具８を示した斜視図である。
【００４０】
図１２に示した係止具８は、矢印状の本体８ａからなり、ボルト８ｂにより、縦枠５ｅの背面から取付具で係止具８まで止められている。係止具８の左端には、取手８ｃが取り付けられている。開閉扉３ｇを開ける際、取手８ｃを上方へ持ち上げ、開閉扉３ｇを嵌合したコ字状の嵌合部８ｄを外すことで、開閉扉３ｇが開閉する仕組みである。
【００４１】
図１３は、本発明である餌台付き猛獣用檻の開閉扉の中部に取り付けた鍵を示した正面図である。図１３に示したように、猛獣用檻１で使用する縦枠５ｅの中部に設けた鍵９は、開閉扉３ｇの左端の中部に固定されたもので、鍵９の表面にピン９ａ、９ｂ、９ｄと、Ｔ字状態の閂９ｃとからなる。閂９ｃには、突起９ｅに係る孔９ｆが設けられている。
【００４２】
図１４は、本発明である餌台付き猛獣用檻の縦枠の下部である脚の先端を示した正面図である。即ち、猛獣用檻１で使用する縦枠５ａの下部を構成する脚は、脚台１０が取り外しできるように設けられ、スパナ等で檻全体の高さを自由に調節することができる。
【００４３】
図１５は、本発明である餌台付き猛獣用檻の第２実施例の檻本体に屋根カバーを付け、猛獣用檻用の全体示した斜視図である。檻本体３の上部にある屋根２の屋根枠２ａの外側には、雨除けとして、ビニール製等の屋根カバー２ｃを取付できる。取付位置は、屋根枠２ａの下部分を構成する軒下２ｂである左右端部の位置で、ひも等によって屋根カバー２ｃを固定すればよい。軒下２ｂとは、屋根の一部で、壁より外に突き出した部分である。
【００４４】
また、屋根枠２ａの下部は、猛獣の暑さ対策として扇風機１２等を着脱可能に取り付けできる。扇風機１２を取り付けることによって、真夏でも檻本体３の内部の気温を下げることができる。
【００４５】
床部４を構成する連結材４ｆ〜４ｋの上部には、平板である複数の床板４ｅ、４ｅ、・・を床部４全体の並べて取り付けることができる。床板４ｅは、略長方形の板であり、複数の床板４ｅ、４ｅ・・・が、檻本体３の開閉扉３ｇの内部から取り付ける。
【００４６】
【発明の効果】
本発明は、以上に説明したような構成であるから以下の効果が得られる。
第１に、本発明である猛獣用檻を構成する給餌口は、外部から回動可能に給餌が設けられているため、給餌員が給餌の際、猛獣に襲われることなく、安全に檻の外から給餌することができる。
【００４７】
第２に、本発明である猛獣用檻は組み立て式で移動可能な檻である。したがって設置場所の確保ができれば、屋根と檻本体を容易に組み立てることもでき、さらに、夏場の暑さ対策として空調も備えた猛獣用檻を猛獣に提供することができる。
【図面の簡単な説明】
【図１】本発明である餌台付き猛獣用檻全体を示した斜視図である。
【図２】本発明である餌台付き猛獣用檻の正面図である。
【図３】本発明である餌台付き猛獣用檻の左側面図である。
【図４】本発明である餌台付き猛獣用檻の縦枠、横枠の骨組みを示した斜視図である。
【図５】本発明である餌台付き猛獣用檻の底枠に取り付けた第１給餌口で、檻本体の内部で、餌台が回動する前の餌台を示した斜視図である。
【図６】本発明である餌台付き猛獣用檻の底枠に取り付けた第１給餌口で檻本体の内部から外部にかけて、朝台が回動する途中の餌台を示した斜視図である。
【図７】本発明である餌台付き猛獣用檻の底枠に取り付けた第１給餌口で掘り本体の外部で、餌台の回動を完了した餌台を示した斜視図である。
【図８】本発明である餌台付き猛獣用檻の第２給餌口で、給餌扉を底枠に取り付けた状態を示す斜視図である。
【図９】本発明である餌台付き猛獣用檻の第２給餌口で、給餌扉を取り付け、給餌扉が開口した状態を示した斜視図である。
【図１０】本発明である餌台付き猛獣用檻の猛獣用檻を構成する縦枠の内側を示した正面図である。
【図１１】本発明である餌台付き猛獣用檻の猛獣用檻を構成する縦枠の外側を示した施工例である
【図１２】本発明である餌台付き猛獣用檻の開閉扉の上部に取り付けた係止具を示した斜視図である。
【図１３】本発明である餌台付き猛獣用檻の開閉扉の中部に取り付けた鍵を示した正面図である。
【図１４】本発明である餌台付き猛獣用檻の縦枠の下部である脚を示した斜視図である。
【図１５】本発明である餌台付き猛獣用檻の第２実施例の床部の中心に位置する脚の先端を示した正面図である。
【符号の説明】
１　　　餌台付き猛獣用檻
２　　　屋根
２ａ　　屋根枠
２ｂ　　軒下
２ｃ　　屋根カバー
２ｄ　　補強材
３　　　檻本体
３ａ　　左柵
３ｂ　　前左柵
３ｃ　　前右柵
３ｄ　　右柵
３ｅ　　後柵
３ｆ　　外枠
３ｇ　　開閉扉
３ｈ　　蝶番
３ｉ　　蝶番
４　　　床部
４ａ　　底枠
４ｂ　　底枠
４ｃ　　底枠
４ｄ　　底枠
４ｅ　　床板
４ｆ　　連結材
４ｇ　　連結材
４ｈ　　連結材
４ｉ　　連結材
４ｊ　　連結材
４ｋ　　連結材
５　　　縦枠部材
５ａ　　縦枠
５ｂ　　縦枠
５ｃ　　縦枠
５ｄ　　縦枠
５ｅ　　縦枠
５ｆ　　縦枠
５ｇ　　扉枠
５ｈ　　間隙
５ｉ　　垂直棒
５ｊ　　水平取付棒
６　　　給餌部
６ａ　　第１給餌口
６ｂ　　第２給餌口
６ｃ　　外枠
６ｄ　　外枠
６ｅ　　軸
６ｆ　　軸
６ｇ　　ピン
６ｈ　　ピン
６ｉ　　取付柵
６ｊ　　取付柵
７　　　餌台
７ａ　　給餌扉
７ｂ　　給餌扉
７ｃ　　左枠
７ｄ　　枠
７ｅ　　右枠
７ｆ　　蝶番
７ｇ　　蝶番
７ｈ　　外筒
７ｉ　　外筒
７ｊ　　上押さえ枠
７ｋ　　下押さえ枠
７ｌ　　底枠
７ｍ　　止め具
７ｎ　　止め具
７ｏ　　閂
７ｐ　　閂
７ｑ　　ピン
７ｒ　　ピン
７ｓ　　ピン
７ｔ　　ピン
７ｕ　　突起
７ｖ　　突起
８　　　係止具
８ａ　　本体
８ｂ　　ボルト
８ｃ　　取手
８ｄ　　嵌合部
９　　　鍵
９ａ　　ピン
９ｂ　　ピン
９ｃ　　閂
９ｄ　　ピン
９ｅ　　突起
９ｆ　　孔
１０　　ネジ式ボルト
１１　　餌容器
１２　　扇風機
【図１】
2004008096.tif 000003
【図２】
2004008096.tif 000004
【図３】
2004008096.tif 000005
【図４】
2004008096.tif 000006
【図５】
2004008096.tif 000007
【図６】
2004008096.tif 000008
【図７】
2004008096.tif 000009
【図８】
2004008096.tif 000010
【図９】
2004008096.tif 000011
【図１０】
2004008096.tif 000012
【図１１】
2004008096.tif 000013
【図１２】
2004008096.tif 000014
【図１３】
2004008096.tif 000015
【図１４】
2004008096.tif 000016
【図１５】
2004008096.tif 000017